(57)【特許請求の範囲】
【請求項１】
用紙の搬送により回転するように保持されたコアロールと；前記コアロールとの間に前記用紙を挟持し、前記用紙の重走を防止する捌き部材と；
回動可能に保持され、前記捌き部材を保持し、前記捌き部材を前記コアロールに向かって付勢する支持部材とを備え；
前記支持部材は、表面が前記捌き部材の摩擦係数よりも低摩擦係数の突起部を有し；
前記捌き部材と前記コアロールとに挟持された前記用紙を、前記搬送の方向とは反対の方向に引いた場合、前記用紙と前記捌き部材との摩擦力により、前記支持部材が回動し、前記用紙が前記突起部と前記コアロールとの間に挟持されるよう構成されたことを特徴とする；
給紙装置。
【請求項２】
前記支持部材が、前記支持部材を回動可能に保持する回動軸を有し；
前記用紙が前記捌き部材と前記コアロールとに挟持されているときに、前記用紙と前記コアロールとの接触点における前記コアロールの法線が、前記突起部と前記回動軸との間に位置するよう構成されたことを特徴とする；
請求項１に記載の給紙装置。
【請求項３】
前記捌き部材が、前記コアロールとの間に前記用紙を挟持する挟持平面を有し；
前記突起部が、前記挟持平面を延長した仮想平面に接する部分を有するか、または前記突起部の前記仮想平面に最も近い部分が前記仮想平面より僅かに離れて位置することを特徴とする；
請求項１または請求項２に記載の給紙装置。
【発明の詳細な説明】
【０００１】
【発明の属する技術分野】
本発明は、複写機、ファクシミリ、プリンタ等の画像形成装置において用いられ、画像が定着される用紙を順次一枚ずつ供給する給紙装置に関する。
【０００２】
【従来の技術】
図１４に示すように、従来の給紙装置６１は、中板６２、捌き部材６３、給紙手段６４、搬送手段６５を含んで構成されている。中板６２は、用紙（図１４に不図示）を給紙手段６４に押圧し、捌き部材６３は積載されている用紙を一枚ずつ捌いて分離して給送されるようにし、給紙手段６４は一枚ずつ分離された用紙を給送し、搬送手段６５は給紙ロール６６と従動ロール６７を含んで構成され、給送された用紙を両者の間に挟みさらに搬送する。従動ロール６７は、加圧アーム６８により給紙ロール６６の方向に付勢されている。なお、用紙が給送される側の端部は中板６２のプレート部６２Ａ上に積載されている。
【０００３】
用紙が、給紙手段６４と捌き部材６３、給紙ロール６６と従動ロール６７に挟まれた状態で詰まった場合、中板６２を給紙手段６４から所定量離すと、中板６２が捌き部材６３を給紙手段６４から離間させ、捌き部材６３が加圧アーム６８を押し下げ、給紙ロール６６と従動ロール６７を離間させる。これにより、給紙手段６４と捌き部材６３及び搬送手段６５のニップを解除し、詰まった用紙の除去を行うことができるようにする。
【０００４】
【発明が解決しようとする課題】
以上のような従来の給紙装置によれば、詰まった用紙の除去を行うために、前述のような複雑なニップ解除を行わなければならず、手間がかかっていた。また、ニップ解除をする機構部品を多く有しているので、機構が複雑であり、コストアップとなっていた。
【０００５】
そこで本発明は、複雑な機構を必要とせず、手間をかけずに詰まった用紙を除去することのできる給紙装置を提供することを目的としている。
【０００６】
【課題を解決するための手段】
上記目的を達成するために、請求項１に係る発明による給紙装置１は、例えば図１に示すように、用紙の搬送により回転するように保持されたコアロール１３と；コアロール１３との間に前記用紙を挟持し、前記用紙の重走を防止する捌き部材３０と；回動可能に保持され、捌き部材３０を保持し、捌き部材３０をコアロール１３に向かって付勢する支持部材３４とを備え；支持部材３４は、表面が捌き部材３０の摩擦係数よりも低摩擦係数の突起部３３を有し；捌き部材３０とコアロール１３とに挟持された前記用紙を、前記搬送の方向とは反対の方向に引いた場合、前記用紙と捌き部材３０との摩擦力により、支持部材３４が回動し、前記用紙が突起部３３とコアロール１３との間に挟持されるよう構成されたことを特徴とする。
【０００７】
このように構成すると、給紙装置が捌き部材と、突起部を有する支持部材とを備え、用紙が詰まった場合に用紙を反搬送方向に引く抜くと、用紙を引き抜くことによる用紙と捌き部材との摩擦力が支持部材に回転力を与えて支持部材を回動させ、コアロールと捌き部材によるニップ（第１ニップ）から、コアロールと突起部によるニップ（第２ニップ）へと移行する。突起部の表面は摩擦係数が低いので、小さい力で用紙を破損することなく容易に引き抜ぬくことができる。
【０００８】
請求項２に係る発明による給紙装置は、請求項１に記載の給紙装置において、前記支持部材が、前記支持部材を回動可能に保持する回動軸を有し；前記用紙が前記捌き部材と前記コアロールとに挟持されているときに、前記用紙と前記コアロールとの接触点における前記コアロールの法線が、前記突起部と前記回動軸との間に位置するよう構成されたことを特徴とする。
【０００９】
用紙とコアロールとの接触点におけるコアロールの法線が、突起部と回動軸との間に位置するよう構成されているので、回動軸の中心から第２ニップのニップ点までの距離が、回動軸の中心から第１ニップのニップ点までの距離より長い。よって、突起部がコアロールを押してあげる回転トルクを、捌き部材がコアロールを押しあげる回転トルクより大きくさせることができ、第１ニップから第２ニップにスムーズに移行させることができる。
【００１０】
請求項３に係る発明による給紙装置は、請求項１または請求項２に記載の給紙装置において、前記捌き部材が、前記コアロールとの間に前記用紙を挟持する挟持平面を有し；前記突起部が、前記挟持平面を延長した仮想平面に接する部分を有するか、または前記突起部の前記仮想平面に最も近い部分が前記仮想平面より僅かに離れて位置することを特徴とする。
【００１１】
突起部が挟持平面を延長した仮想平面に接する部分を有するか、または突起部の仮想平面に最も近い部分が仮想平面より僅かに離れているので、突起部が障害となり用紙の走行不良、重走を起こすことがなく、また支持部材が回動した場合、ニップが第１ニップから第２ニップにスムーズに移行する。
【００１２】
【発明の実施の形態】
以下、本発明の実施の形態について、図面を参照して説明する。なお、各図において互いに同一あるいは相当する部材には同一符号を付し、重複した説明は省略する。
【００１３】
図１は、本発明による給紙装置の実施の形態を示す要部斜視図である。本給紙装置は、複写機、プリンタ等の画像形成装置に用いられ、該画像形成装置に用紙を供給するためのものである。
【００１４】
給紙装置１は軸１１を備え、軸１１は給紙装置１のベース（図１に不図示）に取り付けられた軸受け（図１に不図示）によって回転自在に支持されている。軸１１には、ほぼ半月形状の給紙ロール１２と円盤形状のコアロール１３とがそれぞれ二組取り付けられている。給紙ロール１２は軸１１に固定して設置され、軸１１に同期して回転し、断面が円弧形状を有する給紙ロール１２の円弧部分１２Ａが、用紙５５（図３参照）に接触することによって用紙５５を押圧して送り出し、用紙５５が搬送される。コアロール１３は、軸１１の回転に対して自由に取り付けられ、送り出される用紙５５によって回転し、用紙５５の重走（用紙が重なってまたは間隔をあけずに搬送されること）を防止し、用紙５５が一枚づつ確実に間隔をおいて送り出されるようにする。
【００１５】
軸１１の一端には、被動歯車１４が固定され、被動歯車１４は一カ所部分的に歯が欠けている歯欠け部分１４Ａを有する。前述のベースには、他の軸受け（図１に不図示）が取り付けられ、この軸受けによって回転自在に支持された軸（図１に不図示）には、駆動歯車１５が固定され、駆動歯車１５は被動歯車１４に噛み合うように配置されている。
【００１６】
被動歯車１４の、軸１１側の側面とは反対側の側面１４Ｂにはピン１６が立設され、ピン１６には引張りバネ１７の一端が接続され、引張りバネ１７の他端は、前述のベースに立設されたピン（図１に不図示）に接続されている。引張りバネ１７はピン１６を、図中１８の方向に付勢し、図１に示す状態で被動歯車１４が、この引張りバネ１７によって図中矢印Ａの方向に回転しようとする回転力を発生させる。
【００１７】
駆動歯車１５は矢印Ｂの方向に回転し、その歯が被動歯車１４の歯と噛み合っているときは、被動歯車１４を駆動する。しかし、被動歯車１４が駆動歯車１５によって回転し、被動歯車１４の歯欠け部分１４Ａが、駆動歯車１５と噛み合うべき位置に来ると、歯欠け部分１４Ａには歯がないので、駆動歯車１５と被動歯車１４の噛み合いが外れる。
【００１８】
被動歯車１４は軸方向に隣接するボス部１９を有し、ボス部１９には係止部２０が形成されている。係止部２０は、ボス部１９の円周面の一部が半径方向に徐々に、突出して形成（図２参照）され、ボス部１９の中心軸、即ち軸１１の中心軸に向かう、平らな係止部端面２０Ａ（図２参照）を有する。軸１１には、ボス部１９の反被動歯車側に隣接してカム２８が、被動歯車１４から遠い方の軸１１の一端にはカム２９が取り付けられている。カム２８、２９は軸１１から同じ方向に垂直に突出している。
【００１９】
図２に示すように、ボス部１９のほぼ真下に、前述のベースに取り付けられた収容板４１を介してソレノイド２１が配置されている。ソレノイド２１の芯棒２１Ａはソレノイド２１へ通電すると下方に（ボス部１９から離れる方向、即ちソレノイド２１に向かう方向））に移動する。ソレノイド２１の芯棒２１Ａには、可動板２２が接続され、可動板２２は芯棒２１Ａの動きに合わせて上下する。収容板４１は平行な２枚の側板４１Ａを有しており、ソレノイドは側板４１Ａに挟まれて設置されている。
【００２０】
収容板４１には圧縮バネ２３の一端が接続され、圧縮バネ２３は長手方向にソレノイド２１と側板４１Ａに挟まれて、側板４１Ａに沿って設置されている。圧縮バネ２３の他端は可動板２２に接続されている。圧縮バネ２３は、可動板２２を図中上方に付勢し、ソレノイド２１に通電されていないときには、可動板２２を最上位に位置させる。可動板２２はストッパ部２２Ａを有し、可動板２２が最上位にあるとき、ストッパ部２２Ａは係止部２０の係止部端面２０Ａに当接すると、係止部端面２０Ａと係合する。この状態を、可動板２２と係止部２０が係合するという。可動板２２がソレノイド２１への通電により下方に移動し、ストッパ部２２Ａと係止部２０の係止部端面２０Ａとの係合が外れる。この状態を、可動板２２と係止部２０との係合が外れるという。
【００２１】
ソレノイド２１はその内部に芯棒２１Ａの上方向移動量を規制する規制部品（図２に不図示）を備えるので、可動板２２の上方移動量は、最上位までに規制され、また言い換えれば規制されている位置が最上位である。
【００２２】
さらに図１を参照して給紙装置１の構成の説明を続ける。給紙装置１は、用紙５５（図３参照）を積載する用紙積載板２４を有し、用紙積載板２４は下側面に座２５（図１に点線にて表示）を備え、この座２５に弾性部材としての圧縮バネ３５（図４参照）の一端が接続され、用紙積載板２４はこの圧縮バネ３５によって下方から上方へ向かう、座２５に作用する付勢力を受ける。
【００２３】
用紙積載板２４の幅方向の縁２６、２７であって、軸１１に近い方の長手方向の縁４３の近傍の上面側に、用紙積載板２４より上方に突起し用紙積載板２４に平行な面を有する突起板４６、４７が設けられている。また、用紙積載板２４は軸１１から遠い方の長手方向の縁４４の近傍に位置すると共に軸１１に平行な、回動軸４５を中心に回動可能なように構成されている。したがって、用紙積載板２４は、圧縮バネ３５の付勢力によって、回動軸４５を中心に図中Ｄ方向に回動する。用紙積載板２４のＤ方向の回動によって、用紙積載板２４上の用紙５５が、給紙ロール１２の円弧部分１２Ａに接触する位置に上昇し、図中Ｃ方向の回動により給紙ロール１２の円弧部分１２Ａから離れた位置に下降する。
【００２４】
突起板４６、４７は座２５に接続された圧縮バネ３５の用紙積載板２４への付勢力によって、カム２８、２９に押しつけられ、カム２８、２９に間欠的に従動して上下動する。突起板４６、４７と用紙積載板２４は一体に構成されているので、突起板４６、４７は用紙積載板２４と一体に回動軸４５を中心に回動する。突起板４６、４７にカム２８、２９が接触していないときに、突起板４６、４７が上昇する方向の用紙積載板２４の回動を規制するストッパとしてコアロール１３が働く。
【００２５】
図３（図１の給紙ロール１２部における軸１１に垂直な部分断面図）に示すように、給紙装置１（図１）は、用紙積載板２４（図１）の縁４３（図１）に隣接し、給紙ロール１２／コアロール１３の下側に、支持部材３４を備える。支持部材３４は、給紙ロール１２及びコアロール１３に面する捌き支持部収容部４８に収容した、板状の捌き部材３０を有し、捌き部材３０の捌き部材収容部４８に接している面とは反対側の、本発明の挟持平面としての面３０Ａが、コアロール１３に、また間欠的に給紙ロール１２に接触している。捌き部材３０は、用紙積載板２４（図１参照）に積載され、給紙ロール１２によって搬送される用紙５５を、給紙ロール１２及びコアロール１３との間に挟んで一枚づつ案内する。捌き部材３０は、発泡ウレタン製やゴム製とするとよい。なお、図３において、用紙５５は矢印Ｅが描かれている付近でコアロール１３に近づく方向に僅かに浮き上がって描かれているが、用紙５５は典型的には捌き部材３０の面３０Ａに接する仮想平面上にある。
【００２６】
支持部材３４は、ほぼ半円柱状の突起部３３を有し、突起部３３は捌き部材３０に隣接してほぼ平行に並び、捌き部材３０の用紙５５の送り出し方向側に設置されている。突起部３３の高さをｈ１とし、捌き部材３０の厚さをｈ２とした場合、ｈ１がｈ２に等しいか、ｈ２より僅かに小さく設定することが望ましい。この場合、捌き部材３０の面３０Ａに接する仮想平面を考え、この仮想平面を延長した平面を考えた場合、突起部３３の最高部３３Ａは、この延長した平面より支持部材側に僅かに離れた位置にある。
【００２７】
支持部材３４は、回動軸３１を有し、この回動軸３１を中心に所定角度回動可能なように構成されている。また、支持部材３４は、圧縮バネ（図３に不図示）によって図中反時計方向に回転するように付勢されている。よって、通常は捌き部材３０は、コアロール１３に対し、あるいは間欠的に給紙ロール１２が接触する位置にきたときにさらに給紙ロール１２に対して押し付けられている。
【００２８】
支持部材３４の、用紙を送り出す側の側面であって、突起部３３の図中下にある側面には爪部品３７が取り付けられている。爪部品３７は、支持部材３４が図中時計方向に回動する回動する角度を規制している。支持部材３４が図中最も時計方向に回動したときに、最大厚さの用紙５５が一枚通過するだけの隙間が、給紙ロール１２と捌き部材３０との間に形成されるようになっている。
【００２９】
次に、本給紙装置１の作用について説明する。ソレノイド２１の通電／非通電と、駆動歯車１５／被動歯車１４の噛み合いの関係、これらの各関係における用紙積載板２４の傾きの状態、及び給紙ロール１２の状態の関係を中心に説明する。以下図４から図８において、（Ａ）は駆動歯車１５と被動歯車１４の噛み合い状況、ソレノイド２１の通電状況を示す。（Ｂ）はカム２８、２９と突起板４６、４７との係合状況、（Ｃ）は用紙積載板２４の傾き状況、給紙ロール１２と用紙積載板２４の関係を示す。
【００３０】
まず、図４を参照して説明する。図４（Ａ）に示すように、駆動歯車１５と被動歯車１４は噛み合っておらず、またソレノイド２１には通電されていない状態にあるとする。このとき被動歯車１４の歯欠け部１４Ａに駆動歯車１５が落ち込んだ状態にあり、駆動歯車１５が回転していても軸１１、被動歯車１４は回転せず静止している。被動歯車１４のボス部１９に設けられた係止部２０の係止部端面２０Ａが、可動板２２のストッパ部２２Ａに係合している。被動歯車１４は、引張りバネ１７（図中点線にて表示、以下図５から図１１まで同様）によって図に示す状態でＡ方向に回転しようとする１８の方向の付勢力を受けている。
【００３１】
また、図４（Ｂ）に示すように、軸１１に取り付けられたカム２８、２９は、用紙積載板２４に設けられた突起板４６、４７に係合している。したがって、図４（Ｃ）に示すように、用紙積載板２４はコアロール１３から離れ接触しない位置にある。また、給紙ロール１２は、その周方向の平面部分である弦部分１２Ｂが用紙積載板２４に面している位置にある。図中、給紙ロール１２の円弧部分１２Ａとコアロール１３は重なって表されている。
【００３２】
次に図５を参照して説明する。図５（Ａ）に示すように、ソレノイド２１の通電が行われると、これよって可動板２２が図中下方向（ソレノイド２１に近づく方向）に移動するので、係止部２０の係止部端面２０Ａと、可動板２２のストッパ部２２Ａの係合が外れる。したがって、被動歯車１４は引張りバネ１７によってＡ方向に回転し駆動歯車１５との噛み合いが始まる。よって、被動歯車１４の回転による軸１１、給紙ロール１２の回転が始まる。
【００３３】
図５（Ｂ）に示すように、カム２８、２９と突起板４６、４７とは係合しており、図５（Ｃ）に示すように、用紙積載板２４の角度は変わらず、用紙積載板２４はコアロール１３に接触していない。
【００３４】
次に図６を参照して説明する。図６（Ａ）に示すように、駆動歯車１５が被動歯車１４を所定角度回転させると、図６（Ｂ）に示すようにカム２８、２９と突起板４６、４７との係合が外れ、用紙積載板２４が圧縮バネ５１の付勢力により回動軸４５を中心に図中Ｄ方向に回動し、図６（Ｃ）に示すように、用紙積載板は２４は上昇位置に来る。このとき、給紙ロール１２の円弧部分１２Ａが用紙積載板２４上の用紙５５（図３参照）に接触する位置に来ているので、用紙５５（図３参照）は給紙ロール１２とコアロール１３に接触し、給紙ロール１２に押圧されて用紙５５の搬送が始まる。用紙５５が給紙ロール１２によって搬送されると、搬送された用紙５５はコアロール１３を回転させる。
【００３５】
被動歯車１４が回転し、ストッパ部２２Ａが上昇しても係止部２０と干渉しない位置に係止部２０が来たときに、ソレノイド２１への通電を停止し、ソレノイド２１を非通電にすることが好ましい。このようにするとソレノイド２１を非通電（この状態図６（Ａ）に不図示、図７（Ａ）参照）にしても、ストッパ部２２Ａが上昇するが係止部２０とは干渉しない
【００３６】
次に図７を参照して説明する。図７（Ａ）に示すように、駆動歯車１５／被動歯車１４は噛み合い中なので、被動歯車１４はさらに回転を続け、図７（Ｃ）に示すように、給紙ロール１２の円弧部分１２Ａと用紙５５（図３参照）の接触が終了し、用紙５５の給紙ロール１２による給紙（搬送）は終了する。給紙ロール１２による搬送が終了した用紙５５は、後段の搬送工程５２（図３参照）によりさらに搬送される。図７（Ｂ）に示すように、カム２８、２９の用紙積載板２４との係合は外れているので、図７（Ｃ）に示すように、用紙積載板２４は圧縮バネ５１の付勢力により上昇の位置にある。
【００３７】
次に図８を参照して説明する。図８（Ａ）に示すように、駆動歯車１５／被動歯車１４は噛み合い中なので、被動歯車１４はさらに回転を続け、図８（Ｂ）に示すように、カム２８、２９と突起板４６、４７の係合が再開され、用紙積載板２４は回動軸４５を中心に図中Ｃ方向に回動し、図８（Ｃ）に示すように用紙積載板２４は下降位置に来る。なお、ソレノイド２１は非通電の状態にある。
【００３８】
次に図９を参照して説明をする。駆動歯車１５／被動歯車１４は噛み合い中なので、被動歯車１４はさらに回転を続ける。ソレノイド２１は非通電の状態にある。図９に図示しないが、カム２８、２９と突起板４６、４７は係合中であり、用紙積載板２４は下降位置にある。
【００３９】
次に図１０を参照して説明する。噛み合いを続けていた駆動歯車１５と被動歯車１４の噛み合いが外れる。引張りバネ１７により、被動歯車１４は図中Ａ方向に圧縮バネ１７の付勢力によって回転し、係止部２０の係止部端面２０Ａと、可動板２２のストッパ部２２Ａが係合する（係合状態は図４参照）。なお、ソレノイド２１は非通電の状態にある。図１０に図示しないが、カム２８、２９と突起板４６、４７は係合中であり、用紙積載板２４は下降位置にある。この状態は、図４の状態と同じである。
【００４０】
次に、図１を参照して、用紙５５（図３参照）が捌き部材３０を通過するときの作用について説明する。用紙積載板２４に積載された用紙のうち最上層の用紙５５は、用紙積載板２４が上昇し、さらに回転している給紙ロール１２の円弧部分１２Ａ、及びコアロール１３に接触し、給紙ロール１２によって押圧され、給紙ロール１２、コアロール１３と支持部材３４上の捌き部材３０（図３）とに挟まれて搬送される。用紙が重なって搬送されかかったときは、捌き部材３０でほぐされて、一枚だけが捌き部材３０を通過することができる。
【００４１】
次に、図３、図１１を参照して、用紙５５が捌き部材３０とコアロール１３との間に詰まった場合に用紙５５が除去される作用について説明する。
【００４２】
通常の用紙搬送状態においては、給紙ロール１２をほぼ一回転させることによりにより円弧部分１２Ａによって送り出された用紙５５は、コアロール１３と捌き部材３０にニップ（第１ニップ）されながら先の搬送工程５２に送り出される。このとき、捌き部材３０を保持している支持部材３４の突起部３３はコアロール１３から離間しているので、突起部３３の位置では用紙５５はニップされていない。
【００４３】
しかし図１１に示すように、給紙ロール１２の下流側にある用紙案内部材５３の壁３６に用紙５５の先端が突き当たり、搬送抵抗が大きくなることにより生ずる給紙ロール１２と用紙５５のスリップ等で先の搬送工程５２に到達できない用紙５５は、紙詰まりとなりコアロール１３と捌き部材３０とによって挟まれた状態になる。
【００４４】
図３に示すように、詰まった用紙５５を図中矢印方向Ｅに引く際、用紙５５がコアロール１３と捌き部材３０でニップされる荷重をＮ、用紙５５と捌き部材３０との摩擦係数μｐとし、コアロール１３は高摺動性の樹脂からできているので用紙５５との摩擦係数を０とみなすことができる。支持部材３４のニップ点（ニップ部は、実際には点ではなく僅かの幅をもち、用紙の幅にほぼ等しい長さを持つが断面図上で論じるので説明上点としている。）にはμｐ×Ｎの力Ｆが用紙５５の引き抜き方向Ｅに加わる。
【００４５】
ニップ点と支持部材３４の回動軸３１の中心との距離をＲとし、ニップ点と支持部材３４の回動軸３１の中心を結ぶ直線と用紙５５を引き抜く方向Ｅとの成す角度をθとすると、ニップ点にはＦの分力Ｆ×sinθの力がかかるので、ニップ点には支持部材３４の回動軸３１を中心とする回転トルクＴ＝Ｆ×sinθ×Ｒが働く。
【００４６】
この回転トルクＴにより、用紙５５はコアロール１３と捌き部材３０によりさらに強くニップされ、かつ捌き部材３０と用紙５５の摩擦係数μｐが大きいためこの状態では簡単に用紙５５を引き抜くことができない。
しかし、さらに用紙５５を手前Ｅ方向に引き抜くと回転トルクＴによりコアロール１３はＧ方向に押し上げられ、コアロール１３が取り付いている軸１１が撓んで、支持部材３４が回動し図１１に示した状態になる。図１１に撓む前の軸１１を点線にて示す。
【００４７】
用紙５５のニップはコアロール１３と摩擦係数の大きい捌き部材３０との第１ニップから、コアロール１３と摩擦係数の小さい突起部３３との第２ニップに変わるので、簡単に用紙５５を引き抜くことができる。
【００４８】
図１２に示すように、このとき、軸１１（材質は例えば鋼）を撓ませて、図１１の状態にするために軸１１の径を８ｍｍ、軸１１の支点５６間のスラスト方向距離を３２８ｍｍ、軸１１の一つの支点５６から直近のコアロール１３の、給紙ロール１２に面している側面とは反対側の側面１３Ａまでの距離を１２１ｍｍ、一方のコアロール１３の側面１３Ａと他方のコアロール１３の側面１３Ａ間の距離を８６ｍｍとするとよい。
【００４９】
また、図３に示すように、捌き部材３０を保持している支持部材３４にある突起部３３は、コアロール１３と捌き部材３０の接触点を通るコアロール１３の法線５４を境に支持部材３４の回動軸３１の中心と反対側にある。この場合、回動軸３１の中心から捌き部材３０のニップ点（第１ニップ点）までの距離より、回動軸３１の中心から突起部３３のニップ点（第２ニップ点）までの距離のほうが遠くなる。よって、捌き部材３０がコアロール１３を押し上げる回転トルクより、突起部３３がコアロール１３を押し上げる回転トルクのほうが大きくなるため、第１ニップから第２ニップに容易に変えることができる。
【００５０】
用紙５５と突起部３３との摩擦係数が、用紙５５と捌き部材３０との摩擦係数より小さく設定されているので、第２ニップ状態にある用紙５５を第１ニップ状態にある用紙５５より小さな力で、用紙５５を破損することなく簡単に引き抜くことができる。
【００５１】
この場合、図１３に示すように、軸１１が撓んでいない場合の、捌き部材３０を保持している支持部材３４の回動軸３１の中心から水平方向の座標をＸ、垂直方向の座標をＹとすると、回動軸３１の中心を原点とする位置座標（Ｘｍｍ、Ｙｍｍ）は以下に示すようになる。
コアロール１３の取り付いている軸１１の中心位置：（-2、34.5）
コアロールの半径：18.1ｍｍ
コアロール１３と捌き部材３０の接点：（15.7、18.1）
突起部３３のコアロール１３との接点となるべき点の現状の位置）：(10.1、20）
【００５２】
また、図３に示すように、突起部３３の高さをｈ１（捌き部材３０の底面の延長平面からの高さ）、捌き部材３０の高さ（厚さ）をｈ２とすると、ｈ１がｈ２より大きいとすると、給紙された用紙５５の先端が突起部３３に突き当って走行不良になったり、また、突起部３３に突き当たらず搬送されたとしても、搬送中に用紙５５が突起部３３に触れながら搬送されるため、捌き部材３０を保持している支持部材３４に回転力（図中反時計方向）が加わり、捌き部材３０の角度が小さくなる方向（図中反時計方向）に振れるため、用紙５５の重走や重走崩れ給紙不良が発生する。また、ｈ１がｈ２よりかなり小さい場合は、詰まった用紙５５を引き抜いて軸１１を撓ませても突起部３３が、コアロール１３に接触しなくなるので、これらを防止するためにｈ１はｈ２とほぼ同じかｈ２より僅かに低くなるように設定する。
【発明の効果】
以上説明のように本発明によれば、支持部材が突起部と支持部材とを有し、用紙が詰まった場合に用紙を反送り出し方向に引く抜くと、用紙はコアロールと捌き部材によるニップ（第１ニップ）から、コアロールと突起部によるニップ（第２ニップ）へと移行するので、用紙を引く力を低減し小さい力で容易に引き抜けるようにすることができ、複雑な機構を必要とせず、手間をかけずに詰まった用紙を除去することができる。
【図面の簡単な説明】
【図１】本発明の実施の形態にかかる給紙装置の斜視図である。
【図２】図１の給紙装置の被動歯車のボス部周辺の模式的縦断面図である。
【図３】図１の給紙装置のコアロール周辺の縦断面図である。
【図４】図１の給紙装置の作用を説明するための模式図である。
【図５】図１の給紙装置の作用を説明するための模式図である。
【図６】図１の給紙装置の作用を説明するための模式図である。
【図７】図１の給紙装置の作用を説明するための模式図である。
【図８】図１の給紙装置の作用を説明するための模式図である。
【図９】図１の給紙装置の作用を説明するための模式図である。
【図１０】図１の給紙装置の作用を説明するための模式図である。
【図１１】詰まった用紙を引き抜くときの作用を説明するための図面である。
【図１２】軸に給紙ロール、コアロールを組み込んだ図である。
【図１３】軸の中心、コアロールと捌き部材の接点、回動軸の中心、突起部材のコアロールとの接点となるべき点の座標を示す図である。
【図１４】従来の給紙装置を示す部分的模式図である。
【符号の説明】
１  給紙装置
１１  軸
１２  給紙ロール
１３  コアロール
１４  被動歯車
１５  駆動歯車
１６  ピン
１７  引張りバネ
１８  方向
１９  ボス部
２０  係止部
２１  ソレノイド
２２  可動板
２３  圧縮バネ
２４  用紙積載板
２５  座
２６、２７  縁
２８、２９  カム
３０  捌き部材
３０Ａ  面
３１  回動軸
３３  突起部
３４  支持部材
３５  圧縮バネ
４５  回動軸
４６、４７  突起板
５３  用紙案内部材
５４  法線
５５  用紙
【図１】
0003702940.tif 000002
【図２】
0003702940.tif 000003
【図３】
0003702940.tif 000004
【図４】
0003702940.tif 000005
【図５】
0003702940.tif 000006
【図６】
0003702940.tif 000007
【図７】
0003702940.tif 000008
【図８】
0003702940.tif 000009
【図９】
0003702940.tif 000010
【図１０】
0003702940.tif 000011
【図１１】
0003702940.tif 000012
【図１２】
0003702940.tif 000013
【図１３】
0003702940.tif 000014
【図１４】
0003702940.tif 000015